(57)【要約】【課題】低コストで複数の規格に対応した通信を行う技術を提供する。【解決手段】通信装置は、第１の通信規格のフレームにおいて、該第１の通信規格に対応した第１の信号を送受信する第１の送受信手段と、前記第１の送受信手段と同期したクロックで、第２の通信規格に対応した第２の信号を処理し、前記第１の通信規格のフレームにおいて該第２の信号を送受信する第２の送受信手段と、を有する。【選択図】図１
2009267786.tif 000002
【特許請求の範囲】
【請求項１】
第１の通信規格のフレームにおいて、該第１の通信規格に対応した第１の信号を送受信する第１の送受信手段と、
前記第１の送受信手段と同期したクロックで、第２の通信規格に対応した第２の信号を処理し、前記第１の通信規格のフレームにおいて該第２の信号を送受信する第２の送受信手段と、を有する通信装置。
【請求項２】
前記第２の送受信手段は、前記第２の信号をＧＦＰ（Generic Frame Procedure）フレーム化して前記第１の通信規格のフレームにマッピングする、請求項１に記載の通信装置。
【請求項３】
前記第１の通信規格は、ＳＤＨ（Synchronous Digital Hierarchy）である、請求項１又は２に記載の通信装置。
【請求項４】
前記第２の通信規格は、ギガビットイーサネットである、請求項１乃至３のいずれか１項に記載の通信装置。
【請求項５】
前記第１の送受信手段は、トランスポンダである、請求項１乃至４のいずれか１項に記載の通信装置。
【請求項６】
前記第２の送受信手段は、トランスポンダである、請求項１乃至５のいずれか１項に記載の通信装置。
【請求項７】
リング状に接続された複数の請求項１に記載の通信装置を有する通信システム。
【請求項８】
ＵＰＳＲ（Unidirectional Path Switching Ring）方式のリングプロテクションを行う請求項７に記載の通信システム。
【請求項９】
第１の送受信手段が、第１の通信規格のフレームにおいて、該第１の通信規格に対応した第１の信号を送受信し、
第２の送受信手段が、前記第１の送受信手段と同期したクロックで、第２の通信規格に対応した第２の信号を処理し、前記第１の通信規格のフレームにおいて該第２の信号を送受信する、通信方法。
【発明の詳細な説明】
【技術分野】
【０００１】
本発明は、通信ネットワークにおいて、複数の通信方式で通信する技術に関する。
【背景技術】
【０００２】
ＳＤＨ（Synchronous Digital Hierarchy）やＧｂＥ(Gigabit Ethernet)などの複数の通信規格に対応する通信ネットワークを低コストで構築するため、１台のＣＷＤＭ（Corse Wavelength Division Multiplexing）装置で、ＯＭＬＤＸ（Optical Multiplex and Demultiplex）等で多重化した信号を、それぞれの通信規格用の信号に変換する方法が用いられていた。
【０００３】
例えば、図６に示すＣＷＤＭ装置は、ＳＤＨ対応のトランスポンダを内蔵し、ＧｂＥ対応のトランスポンダを外部接続する構成により、ＳＤＨ通信およびＧｂＥ通信を同時に行うことを可能としていた。
【０００４】
また、特許文献１に開示されたＣＷＤＭ装置は、図７に示すように、並列に接続したＳＤＨ対応のトランスポンダと、ＧｂＥ対応のトランスポンダとを内蔵する構成により、ＳＤＨ通信およびＧｂＥ通信を実現していた。
【特許文献１】特開２００１−２１８２４０号公報
【発明の開示】
【発明が解決しようとする課題】
【０００５】
しかしながら、図６に示したＣＷＤＭ装置では、ＣＷＤＭ装置用と外部のトランスポンダ用との２つの筐体が必要となる。また、図６に示したＣＷＤＭ装置および特許文献１に記載のＣＷＤＭ装置（図７）では、２つのトランスポンダを並列接続するため、各トランスポンダと多重化装置との間を接続するケーブルが２本必要となる。このため、複数の規格に対応した通信を同時に行う場合、１つの通信規格に対応した通信しか行わない場合と比較して、ケーブルや筐体の分、コストが増大するという問題があった。
【０００６】
本発明の目的は、低コストで複数の通信規格に対応した通信を行う技術を提供することである。
【課題を解決するための手段】
【０００７】
上記目的を達成するために、本発明の通信装置は、第１の通信規格のフレームにおいて、該第１の通信規格に対応した第１の信号を送受信する第１の送受信手段と、前記第１の送受信手段と同期したクロックで、第２の通信規格に対応した第２の信号を処理し、前記第１の通信規格のフレームにおいて該第２の信号を送受信する第２の送受信手段と、を有する。
【０００８】
本発明の通信システムは、リング状に接続された複数の本発明の信号変換装置を有する。
【０００９】
本発明の信号変換方法は、第１の送受信手段が、第１の通信規格のフレームにおいて、該第１の通信規格に対応した第１の信号を送受信し、第２の送受信手段が、前記第１の送受信手段と同期したクロックで、第２の通信規格に対応した第２の信号を処理し、前記第１の通信規格のフレームにおいて該第２の信号を送受信する。
【発明の効果】
【００１０】
本発明によれば、第１の送受信手段が、第１の通信規格のフレームにおいて、該第１の通信規格に対応した第１の信号を送受信し、第２の送受信手段が、前記第１の送受信手段と同期したクロックで、第２の通信規格に対応した第２の信号を処理し、前記第１の通信規格のフレームにおいて該第２の信号を送受信する。同一波長で、複数の通信規格に対応した信号を伝送できるので、ケーブルを節約でき、低コストで、複数の通信規格に対応する通信を行うことができる。
【発明を実施するための最良の形態】
【００１１】
（第１の実施形態）
本発明を実施するための第１の実施形態について図１を参照して詳細に説明する。
【００１２】
図１は、本実施形態のＣＷＤＭ装置２０の構成を示す全体図である。ＣＷＤＭ装置２０は、波長多重化された複数の信号を送受信する通信機器である。同図を参照すると、ＣＷＤＭ装置２０は、トランスポンダ２１およびトランスポンダ２３を有する。そして、このＣＷＤＭ装置２０は、光ファイバーケーブルによりＯＭＬＤＸ１０およびＯＭＬＤＸ３０に接続されている。そして、これらの装置は、Ａ方向からＢ方向へ向けて、ＯＭＬＤＸ１０、トランスポンダ２１、トランスポンダ２３、ＯＭＬＤＸ３０の順で光ファイバーケーブルにより、直列に一芯接続されている。
【００１３】
トランスポンダ２１は、ＳＴＭ（Synchronous Transport Module）−１６の単位（約２．４Ｇｂｐs）でＳＤＨ規格の信号を送受信する通信インターフェースを有するＡＤＭ（Add Drop Multiplexing）トランスポンダである。
【００１４】
トランスポンダ２１は、ＯＭＬＤＸ１０およびトランスポンダ２３から多重化された光信号を受信し、電気信号に変換する。そして、トランスポンダ２１は、電気信号に変換された信号を伝送するチャネルを相互に交差接続（クロスコネクト）する。そして、トランスポンダ２１は、交差接続した電気信号を光信号に変換し、ＯＭＬＤＸ１０またはトランスポンダ２３に送信する。
【００１５】
ＳＤＨ通信を行うノードが接続されているときは、トランスポンダ２１は、ノードからのＳＤＨ通信用の信号を多重化し、またノードへのＳＤＨ通信用の信号を分離する。
【００１６】
トランスポンダ２３は、ＧｂＥ通信用の通信インターフェースを有するＡＤＭトランスポンダである。
【００１７】
トランスポンダ２３は、ＯＭＬＤＸ３０およびトランスポンダ２１から多重化された光信号を受信し、電気信号に変換する。そして、トランスポンダ２３は、電気信号に変換された信号を伝送するチャネルを相互に交差接続（クロスコネクト）する。そして、トランスポンダ２３は、交差接続した電気信号を光信号に変換し、ＯＭＬＤＸ３０またはトランスポンダ２１に送信する。
【００１８】
このとき、トランスポンダ２３は、ＳＤＨ通信用の信号とクロックを同期させたＧｂＥ通信用の信号を、ＳＤＨ通信用の信号に多重化する。また、トランスポンダ２３は、ＯＬＭＤＸ３０からの、ＧｂＥ通信用の信号が多重化された光信号から、ＧｂＥ通信用の信号を分離する。例えば、イーサネットフレームをＧＦＰフレームに格納してＳＤＨフレームにマッピングし、またＳＤＨフレームにマッピングされているＧＦＰフレームに格納されたイーサネットフレームを取り出す。
【００１９】
このように、ＣＷＤＭ装置２０は、クロックを同期させ、ＧＦＰフレームのフォーマットを使用することにより、同一波長のチャネルで複数の通信規格の信号を送受信することができる。
【００２０】
なお、トランスポンダ２１は、所定の通信規格に対応する信号を送受信する機能を有していれば、他の通信機器でもよい。トランスポンダ２３は、クロックを同期させた異なる通信規格の信号を多重化する機能を有する機器であれば、他の通信機器であってもよい。トランスポンダ２３による多重化は、ＧＦＰフレームのフォーマットを使用する方法以外の方法であってもよい。
【００２１】
以上説明したように、本実施形態によれば、トランスポンダ２１が、受信した信号とＳＤＨ通信用の信号を送受信し、トランスポンダ２１と同期したクロックで、ＧｂＥ通信用の信号を処理し、ＳＤＨフレームにおいてＧｂＥ通信用の信号を送受信する。同一波長で、複数の通信規格に対応した信号を伝送できるので、ダークファイバーのレンタル料金を大幅に削減でき、低コストで、複数の通信規格に対応する通信を行うことができる。また、図６に示した、トランスポンダを外部接続する構成と比較して筐体は１つでよいので、設置スペースが減少し、小電力化、小型化できる。
【００２２】
なお、上述した実施形態では、ＯＭＬＤＸ（１０および３０）を、ＣＷＤＭ装置２０の外部に設ける構成としたが、図３に示すようにＯＭＬＤＸ（１０および３０）を、ＣＷＤＭ装置の内部に設ける構成としてもよい。
【００２３】
ＣＷＤＭ装置は、光ファイバーケーブルに限らず、同軸ケーブルを使用し、電気信号の送受信、多重化、分離を行ってもよいのは勿論である。
【００２４】
（第２の実施形態）
本発明の第２の実施形態について図３〜図５を参照して詳細に説明する。図３は、本実施形態にかかる通信システム１の構成を示す全体図である。通信システム１は、複数の通信規格に対応した通信を行い、通信障害が発生したときも運用を継続できるように信頼性を向上させたシステムである。同図を参照すると、通信システム１は、ＣＷＤＭ装置２０ａ、２０ｂ、２０ｃ、および２０ｄを有する。これらのＣＷＤＭ装置（２０ａ、２０ｂ、２０ｃ、および２０ｄ）は、第１の実施形態のＣＷＤＭ装置２０と同様の構成である。
【００２５】
ＣＷＤＭ装置２０ａ、２０ｂ、２０ｃ、および２０ｄは、光ファイバーケーブルにより、リング状に一芯接続されている。そして、この通信システム１には、クライアントやサーバ等の複数のノードが接続される。図３において、４本の実線は、それぞれ波長多重化された複数のチャネルであり、１本の実線は、双方向の２つのチャネルを表わす。
【００２６】
そして、通信システム１は、図４に示すように、現用系のチャネル（波長λ１に対応するチャネル）と、待機系のチャネル（波長λ２に対応するチャネル）とに方向が互いに逆向きで同一のトラフィックを流し、現用系のチャネルに通信障害が発生したとき、現用系のチャネルを待機系のチャネルに切り替えて運用を継続する。同図において、実線は現用系のチャネルであり、点線は、待機系のチャネルである。すなわち、通信システム１は、ＵＰＳＲ（Unidirectional Path Switching Ring）方式のリングプロテクションを実行する。
【００２７】
図５は、ＣＷＤＭ装置２０ａの構成を示すブロック図である。同図を参照すると、ＣＷＤＭは、現用系のチャネル（λ１）用のトランスポンダ２１および２３と、待機系のチャネル（λ２）用のトランスポンダ２１ａおよび２３ａとを有する。現用系、待機系のチャネル数が、それぞれ３以上のときは、各チャネル用にトランスポンダの組を更に増設する。
【００２８】
なお、通信システム１は、ＢＬＳＲ（Bidirectional Line Switching Ring）など、ＵＰＳＲ以外の方法で通信障害の回復を行うことができ、トポロジはリング型に限られない。
【００２９】
以上説明したように、本実施形態によれば、通信システム１は、１芯接続の構成であるから、図６や図７に示したＣＷＤＭ装置では２リング必要であった通信システムを１リングで実現できるので、装置、ダークファイバー料金を節約でき、低コストで複数規格の通信を実現できる。また、通信システム１は、リングプロテクション機能を実現するので、通信に対する信頼性が向上する。
【図面の簡単な説明】
【００３０】
【図１】第１の実施形態のＣＷＤＭ装置の構成を示す全体図である。
【図２】変形例のＣＷＤＭ装置の構成を示す全体図である。
【図３】第２の実施形態の通信システムの構成を示す全体図である。
【図４】第２の実施形態の通信システムの信号の流れを示した図である。
【図５】第２の実施形態のＣＷＤＭ装置の構成を示す全体図である。
【図６】従来のＣＷＤＭ装置の構成を示す全体図である。
【図７】従来のＣＷＤＭ装置の構成を示す全体図である。
【符号の説明】
【００３１】
１  通信システム
１０、３０    ＯＭＬＤＸ
２０、２０ａ、２０ｂ、２０ｃ、２０ｄ    ＣＷＤＭ装置
２１、２３、２１ａ、２３ａ    トランスポンダ
【図１】
2009267786.tif 000003
【図２】
2009267786.tif 000004
【図３】
2009267786.tif 000005
【図４】
2009267786.tif 000006
【図５】
2009267786.tif 000007
【図６】
2009267786.tif 000008
【図７】
2009267786.tif 000009